(57)【特許請求の範囲】
【請求項１】
１枚の段ボールシートから形成され、略平行な一対の破断予定線によって帯状に切除可能なジッパー部が画定され、各破断予定線が破断方向に配列される複数の切り込みを有し、上記各切り込みが、破断予定線上の直線部とこの直線部の一方側の端部から一方側かつ対向する破断予定線側に延出する延出部とを有する箱用シートであって、
上記各破断予定線が、破断方向に切り込みが形成されない切り込み非形成部を有し、
上記切り込みの延出部の延出方向の端部とこの端部に隣接する同列の切り込みの直線部の他方側の端部とを結ぶ仮想線の上記破断方向に対する相対角度が４０°以上５０°以下であり、
上記切り込み非形成部の破断方向の平均長さが、切り込みの破断方向の平均長さの４０％以上７０％以下であり、
一方の破断予定線の切り込みと他方の破断予定線の切り込みとが破断方向に位置ずれしており、
一方の上記破断予定線の切り込み非形成部が他方の破断予定線の切り込み非形成部の間に配置され、
一方の上記破断予定線の切り込みの他方側の端部と他方の破断予定線の切り込みの他方側の端部とを結ぶ仮想線の上記破断方向に対する相対角度が７０°以上８０°以下であることを特徴とする箱用シート。
【請求項２】
上記延出部の破断方向の平均長さが切り込みの全体の平均長さの３０％以上７０％以下である請求項１に記載の箱用シート。
【請求項３】
上記一対の破断予定線の直線部間の距離が２０ｍｍ以上、３７ｍｍ以下である請求項１又は請求項２に記載の箱用シート。
【発明の詳細な説明】
【技術分野】
【０００１】
本発明は、箱用シートに関する。
【背景技術】
【０００２】
商品の輸送等のために、段ボールやボール紙等のシート材で形成され、商品を収容する箱体が広く使用されている。そのような箱体の中には、開封を容易にするために、シート材の一部を帯状に切除できるようにしたジッパー（開封帯又は引裂き帯とも呼ばれる）を有するものがある。
【０００３】
一般的なジッパーは、破断方向に配列される複数の切り込みを有する一対の破断予定線からなり、各切り込みが、破断予定線上の直線部とこの直線部の一方側の端部から一方側かつ対向する破断予定線に向けて延出する延出部とを有する。従来のジッパーは、一対の破断予定線が、両者の中心線について線対称に形成される。
【０００４】
このようなジッパーは、切り込みの直線部の端部から隣接する切り込みの延出部に向かってシート材が破断されることより、一方側から他方側に向かってシート材を切断する。このとき、シート材の破断は、シート材の弾性等に起因して対向する破断予定線側に傾斜して進行し易いので、各切り込みの他方側（破断方向前側）にジッパー内側に向かって延出する延出部を設けることにより、ジッパーを途中でちぎれ難くしている。
【０００５】
ジッパーをさらにちぎれ難くしたり、ジッパーを逆方向に切除可能とするために、様々な改良が提案されている。例えば、実用新案登録第３１２３７０２号公報には、破断予定線の切り込みに、延出部の先端から隣接する切り込みの直線部側及びその反対側に伸びる部分を設けて延出部を「Ｔ」の字状乃至「イ」の字状とすることが提案されている。
【０００６】
箱体の側面パネルに上述のようなジッパーを設けると、箱体の開封が容易となる反面、箱体の強度が低下するという不都合がある。例えば箱体の側面にジッパーを設けると、箱体の座屈強度が低下する。特に、ジッパーを途中でちぎれ難くすると、切り込みの総延長が大きくなり、箱体の強度低下が大きくなり易い。
【先行技術文献】
【特許文献】
【０００７】
【特許文献１】実用新案登録第３１２３７０２号公報
【発明の概要】
【発明が解決しようとする課題】
【０００８】
上記不都合に鑑みて、本発明は、比較的容易かつ確実に開封することができ、かつ強度の比較的大きい箱用シートを提供することを課題とする。
【課題を解決するための手段】
【０００９】
上記課題を解決するためになされた発明は、略平行な一対の破断予定線が形成され、各破断予定線が破断方向に配列される複数の切り込みを有し、上記各切り込みが、破断予定線上の直線部とこの直線部の一方側の端部から一方側かつ対向する破断予定線側に延出する延出部とを有する箱用シートであって、上記各破断予定線が、破断方向に切り込みが形成されない切り込み非形成部を有し、上記切り込みの延出部の延出方向の端部とこの端部に隣接する同列の切り込みの直線部の他方側の端部とを結ぶ仮想線の上記破断方向に対する相対角度が６０°以下であり、一方の破断予定線の切り込みと他方の破断予定線の切り込みとが破断方向に位置ずれしていることを特徴とする箱用シートである。
【００１０】
当該箱用シートは、上記各破断予定線が、破断方向に切り込みが形成されない切り込み非形成部を有するため、シート材の強度低下が比較的小さい。また、当該箱用シートは、上記切り込みの延出部の延出方向の端部とこの端部に隣接する同列の切り込みの直線部の他方側の端部とを結ぶ仮想線の上記破断方向に対する相対角度が上記上限以下であることによって、直線部の端部から延出部に向かってシート材を破断させることができ、かつ上記切り込み非形成部を比較的大きくすることができる。また、当該箱用シートは、一方の破断予定線の切り込みと他方の破断予定線の切り込みとが破断方向に位置ずれしていることによって、一対の破断予定線の切り込み間のシート材の破断を交互に生じさせる。これにより、切り込みの破断方向後端を起点とするシート材の破断を生じさせる力の作用方向の対向する破断予定線側への傾斜を抑制できる。従って、上記仮想線の上記破断方向に対する相対角度を比較的小さくしても、一対の破断予定線に沿って途中でちぎれることなくシート材を帯状次切り取ることができるので、当該箱用シートを組み立てなる箱体を比較的容易かつ確実に開封することができる。
【００１１】
上記切り込み非形成部の破断方向の平均長さとしては、切り込みの破断方向の平均長さの３０％以上が好ましい。このように、上記切り込み非形成部の破断方向の平均長さが上記下限以上であることによって、破断予定線によるシート材の強度低下をより確実に抑制することができる。
【００１２】
一方の上記破断予定線の切り込み非形成部が、他方の破断予定線の切り込み非形成部の間に配置されるとよい。このように、一方の上記破断予定線の切り込み非形成部が、他方の破断予定線の切り込み非形成部の間に配置されることによって、一対の破断予定線の切り込み非形成部の破断を交互に生じさせ、各破断予定線の複数の切り込みの接続をより確実にすることができる。換言すると、一対の破断予定線を切り込み非形成部の破断方向の位置が重複しないよう互い違いにずらして配設することによって、一対の破断予定線の間のシート材を途中でちぎれることなく帯状に切り取ることがさらに容易となる。これにより、当該箱用シートを組み立てなる箱体の開封がより容易となる。
【００１３】
一方の上記破断予定線の切り込みの他方側の端部と他方の破断予定線の切り込みの他方側の端部とを結ぶ仮想線の上記破断方向に対する相対角度としては、８５°以下が好ましい。このように、一方の上記破断予定線の切り込みの他方側の端部と他方の破断予定線の切り込みの他方側の端部とを結ぶ仮想線の上記破断方向に対する相対角度が上記上限以下であることによって、切り込み非形成部でのシート材の破断方向の対向する破断予定線側への傾斜を抑制する効果がより確実に得られる。
【００１４】
上記切り込みの延出部の破断方向の平均長さとしては、直線部の破断方向の平均長さの８０％以上が好ましい。このように、上記切り込みの延出部の破断方向の平均長さが上記下限以上であることによって、切り込み非形成部の破断方向の長さを大きくすることができ、シート材の強度低下をより抑制することができる。
【発明の効果】
【００１５】
上述のように、本発明の箱用シートは、比較的容易かつ確実に開封することができ、かつ強度の比較的大きい
【図面の簡単な説明】
【００１６】
【図１】本発明の一実施形態の箱用シートの展開状態の内面側を示す模式的平面図である。
【図２】図１の箱用シートを組み立ててなる箱体を示す模式的斜視図である。
【図３】図１の箱用シートの破断予定線の詳細を示す拡大図である。
【発明を実施するための形態】
【００１７】
以下、適宜図面を参照しつつ、本発明の実施の形態を詳説する。
【００１８】
［箱用シート］
図１に示す本発明の一実施形態の箱用シートは、一枚のシート材から形成され、図２に示す箱体に組み立てることができる。なお、図１において、太い実線はシート材を切断したエッジを示し、細い実線はシート材に型押しして形成した罫線を示す。
【００１９】
当該箱用シートを構成するシート材としては、例えば段ボールシート、プラスチックボード、ボール紙等を用いることができ、中でも段ボールシートが好適に用いられる。
【００２０】
上記段ボールシートとしては、一枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２１】
当該箱用シートは、この順番に左右方向に連設される第１乃至第４の側壁パネル１，２，３，４と、第１側壁パネル１の第２の側壁パネル２と反対側の側縁に連設され、第４の側壁パネル４の第３の側壁パネルと反対側の側縁に貼り合される継しろ５と、第１の側壁パネル１及び第３の側壁パネル３の上縁からそれぞれ延出する蓋外フラップ６，７と、第２の側壁パネル２及び第４の側壁パネル４の上縁からそれぞれ延出する蓋内フラップ８，９と、第１の側壁パネル１及び第３の側壁パネル３下縁からそれぞれ延出する底外フラップ１０，１１と、第２の側壁パネル２及び第４の側壁パネル４の下縁からそれぞれ延出する底内フラップ１２，１３とを備える。
【００２２】
当該箱用シートは、通常、第１の側壁パネル１を第２の側壁パネル２の内面側に折り返し、第４の側壁パネル４を第３の側壁パネル３の内面側に折り返し、継しろ５を第４の側壁パネル４の内面側に貼り合わせた折り畳み状態でユーザーに提供される。
【００２３】
当該箱用シートを組み立ててなる箱体は、いわゆるＡ式（ミカン箱タイプ）の箱体である。つまり、当該箱用シートは、第１乃至第４の側壁パネル１，２，３，４を継しろ５によって無端状に接続した四角筒状部の下端を、底内フラップ１２，１３及び底外フラップ１０，１１をこの順番に折り重ねて底部を形成することにより封止することで箱状に組み立てられる。さらに、この箱体は、上記四角筒状部の上端を、蓋内フラップ８，９及び蓋外フラップ６，７をこの順番に折り重ねて蓋を形成することにより封止することで封函することができる。
【００２４】
当該箱用シートにおいて、上記第１乃至第４の側壁パネル１，２，３，４、継しろ５、蓋外フラップ６，７、蓋内フラップ８，９、底外フラップ１０，１１及び底内フラップ１２，１３の境界は、図１に示すように、シート材の内面に形成される罫線によって画定することができる。また、これらの境界におけるシート材の折り曲げを容易にするために、例えばシート材を断続的に切断するミシン目、シート材の一方側の表面のみを切断するハーフカット等を設けてもよい。
【００２５】
当該箱用シートは、第１乃至第４の側壁パネル１，２，３，４及び継しろ５を左右方向に横断するよう形成される略平行な一対の破断予定線１４，１５を有し、この一対の破断予定線１４，１５によってシート材を帯状に切除可能としたジッパー部１６が画定されている。
【００２６】
＜ジッパー＞
ジッパー部１６は、第２の側壁パネル２の中央に概略横向きの「Ｈ」の字状にシート材を切断して形成した破断開始部１７を有する。この破断開始部１７を把持して当該箱用シートを組み立ててなる箱体の外側に引っ張り出すことにより、一対の破断予定線１４，１５の破断、ひいてはジッパー部１６の切除を開始することができる。
【００２７】
一対の破断予定線１４，１５は、図３に示すように、それぞれ破断方向に配列される複数の切り込み１８を有する。各破断予定線１４，１５において、複数の切り込み１８は、略一定の間隔を空けて形成される。換言すると、破断予定線１４，１５は、それぞれ切り込み１８が形成されていない切り込み非形成部１９を有する。
【００２８】
また、この一対の破断予定線１４，１５は、一方の破断予定線１４の切り込み１８と他方の破断予定線１５の切り込み１８とが破断方向に位置ずれするよう形成されている。好ましくは、一対の破断予定線１４，１５は、破断予定線１４，１５の一方の切り込み非形成部１９が、破断予定線１４，１５の他方の切り込み非形成部１９の間に配置されるとよい。つまり、一対の破断予定線１４，１５は、切り込み非形成部１９の破断方向の配設範囲が互いに重複しないように位置ずれして配設されることが好ましい。さらに好ましくは、一対の破断予定線１４，１５は、互いに対して、切り込み１８の配設ピッチの１／２だけ破断方向に位置ずれして配設される。
【００２９】
切り込み非形成部１９の破断方向の平均長さの下限としては、切り込み１８の破断方向の平均長さの３０％が好ましく、４０％がより好ましい。一方、切り込み非形成部１９の破断方向の平均長さの上限としては、切り込み１８の破断方向の平均長さの１００％が好ましく、７０％がより好ましい。切り込み非形成部１９の破断方向の平均長さの典型例としては、切り込み１８の破断方向の平均長さの略５０％とすることができる。切り込み非形成部１９の破断方向の平均長さが上記下限に満たない場合、当該箱用シートの強度低下を十分に抑制できず、当該箱用シートを組み立ててなる箱体の座屈強度が不十分となるおそれがある。逆に、切り込み非形成部１９の破断方向の平均長さが上記上限を超える場合、切り込み非形成部１９においてシート材を破断させるために必要な力が大きくなり、当該箱用シートを組み立ててなる箱体のジッパー部１６による開封が容易ではなくなるおそれがある。
【００３０】
（切り込み）
各切り込み１８は、図３に示すように、破断予定線１４，１５の上、つまりジッパー部１６の仮想的な直線状の側縁の上に配置される直線部２０と、この直線部２０の一方側（破断方向前側、つまり破断開始部１７側）の端部から一方側かつ対向する破断予定線１４，１５の側（ジッパー部１６の内側）に延出する延出部２１とを有する。
【００３１】
直線部２０及び延出部２１は、完全な直線でなくてもよい。特に、延出部２１は、ジッパー部１６の内側に向かって延出していれば、屈曲していてもよい。また、直線部２０と延出部２１との境界（角）は、面取りされていてもよい。
【００３２】
＜ジッパーの作用＞
当該箱用シートに形成されるジッパー部１６は、破断開始部１７を基端として一対の破断予定線１４，１５に沿ってシート材を破断させることによって、第１乃至第４の側壁パネル１，２，３，４から形成される四角筒状部を上下に分割することで、当該箱用シートを組み立ててなる箱体を開封する。
【００３３】
当該箱用シートを組み立ててなる箱体は、上述のようにジッパー部１６を切除することによって開封すると、第１乃至第４の側壁パネル１，２，３，４の下側部分の枠状体と、底外フラップ１０，１１及び底内フラップ１２，１３から形成される底体とを備えるトレー状となる。これにより、当該箱用シートを組み立ててなる箱体は、開封後に、収容されている商品等を陳列するために用いることができる。
【００３４】
この破断予定線１４，１５に沿うシート材の破断は、直線部２０の他方側の端部（破断方向後端）を基端として，図３に示すように、切り込み非形成部１９に破断線Ｂを形成することによって行われる。この切り込み非形成部１９の破断線Ｂは、当該箱用シートを構成するシート材の弾性等により、ジッパー部１６の内側に向かって形成され易い。しかしながら、直線部２０の他方側の端部を基端とする破断線Ｂの延伸方向が破断方向下流側に隣接する次の切り込み１８の延出部２１の存在する範囲内であれば、隣接する切り込み１８間を接続して、結果として、当該箱用シートを破断予定線１４，１５に沿って破断させられる。
【００３５】
この直線部２０の他方側の端部を基端とする破断線Ｂの延伸方向の破断方向からの許容される最大傾斜角度は、図３に示すように、切り込み１８の延出部２１の延出方向の端部とこの端部に隣接する同列の切り込み１８の直線部２０の他方側の端部とを結ぶ第１の仮想線Ｌ１の破断方向に対する相対角度αとして表わすことができる。従って、ジッパー部１６を開封途中でちぎれ難くするには、上記仮想線Ｌ１の破断方向に対する相対角度αを大きくするか、切り込み非形成部１９に破断を生じさせる力がジッパー部１６の内側に傾斜して作用することを抑制、つまりジッパー部１６の外側に力を誘導すればよい。
【００３６】
ここで、図３を参照しながら、一方の破断予定線１４の１つの切り込み１８の破断方向後側の端部Ｐ１を基端として破断方向下流側の次の切り込み１８に向かって切り欠き非形成部１９に破断を生じさせる場合について説明する。
【００３７】
当該箱用シートでは、一対の破断予定線１４，１５が破断方向に互いに位置ずれして配設されているため、各破断予定線１４，１５の切り込み１８間を接続するよう形成される切り込み非形成部１９の破断線Ｂの形成が、破断予定線１４，１５の一方と他方とで交互に生じる。
【００３８】
上記端部Ｐ１から破断が生じるとき、他方の破断予定線１５は、上記端部Ｐ１よりも上流側の切り込み１８間に破断線Ｂが形成され、上記端部Ｐ１に対向する切り込み１８の下流側の端部Ｐ２にジッパー部１６を引っ張る力が作用する。従って、このとき、上記端部Ｐ１と端部Ｐ２とを結ぶ仮想線Ｌ２に垂直な方向（矢印Ｆ）に力が作用し易い。つまり、一対の破断予定線１４，１５が破断方向に互いに位置ずれしていることによって、上記端部Ｐ１に作用する力をジッパー部１６の外側に向かうよう誘導することができる。なお、実際には、ユーザーが実際にジッパー部１６を引っ張る方向に力が作用し易く、シート材の弾性の影響等もあり、この切り込み非形成部１９における破断は、破断予定線１４よりも内向きに延伸する。
【００３９】
このように、当該箱用シートは、一対の破断予定線１４，１５を破断方向に位置ずれして配設することにより、形成される破断線Ｂのジッパー部１６の内側方向への傾斜を抑制することによって、上記仮想線Ｌ１の破断方向に対する相対角度αを小さくすることを可能にしている。これによって、切り欠き非形成部１９の破断方向の長さを比較的大きくすることができ、切り込み１８を形成することによる当該箱用シートの強度低下を抑制し、当該箱用シートを組み立ててなる箱体の座屈強度を向上している。
【００４０】
切り込み１８の延出部２１の延出方向の端部（破断方向前端部）とこの端部に隣接する同列の切り込み１８の直線部２０の他方側の端部（破断方向後端部）とを結ぶ第１の仮想線Ｌ１の破断方向に対する相対角度αの下限としては、３０°が好ましく、３５°がより好ましく、４０°がさらに好ましい。一方、上記第１の仮想線Ｌ１と破断方向に対する相対角度αの上限としては、６０°であり、５５°が好ましく、５０°がより好ましい。上記第１の仮想線Ｌ１と破断方向に対する相対角度αの典型例としては、略４５°とすることができる。上記第１の仮想線Ｌ１と破断方向に対する相対角度αが上記下限に満たない場合、直線部２０の他方側の端部を基端とするシート材の破断方向がジッパー部１６の内側に傾斜した場合に、延伸した破断線Ｂが延出部２１から外れることによりジッパー部１６が途中でちぎれるおそれがある。逆に、上記第１の仮想線Ｌ１と破断方向に対する相対角度αが上記上限を超える場合、結果的に切り込み非形成部１９の破断方向の長さが大きくなることで、当該箱用シートの強度低下を十分に抑制できず、当該箱用シートを組み立ててなる箱体の座屈強度が不十分となるおそれがある。
【００４１】
上記直線部２０の平均長さの下限としては、２ｍｍが好ましく、３ｍｍがより好ましい。一方、直線部２０の平均長さの上限としては、２０ｍｍが好ましく、１０ｍｍがより好ましい。直線部２０の平均長さの典型例としては、略５ｍｍとすることができる。直線部２０の平均長さが上記下限に満たない場合、破断予定線１４，１５に沿うシート材の破断を十分に促進できないおそれがある。逆に、直線部２０の平均長さが上記上限を超える場合、当該箱用シートの強度が低下し、当該箱用シートを組み立ててなる箱体の座屈強度が不十分となるおそれがある。なお、直線部２０及び延出部２１の長さは、直線部２０及び延出部２１をそれぞれ直線で近似した場合の長さを意味するものとし、直線部２０と延出部２１との間で面取りがなされている場合には、この面取りがない場合の直線部２０及び延出部２１の長さを意味する。
【００４２】
一対の破断予定線１４，１５の直線部２０間の距離（ジッパー部１６の幅）は、当該箱用シートの材質に応じて選択される。具体例として、当該箱用シートがＡフルートの段ボールシートから形成される場合、ジッパー部１６の平均幅の下限としては、２０ｍｍが好ましく、２５ｍｍがより好ましく、３０ｍｍがさらに好ましい。一方、ジッパー部１６の平均幅の上限としては、４５ｍｍが好ましく、４０ｍｍがより好ましく、３７ｍｍがさらに好ましい。ジッパー部１６の平均幅の典型例としては、略３５ｍｍとすることができる。ジッパー部１６の平均幅が上記下限に満たない場合、ジッパー部１６が途中でちぎれ易くなり、当該箱用シートの内面側にカットテープ等を設ける必要が生じるおそれがある。逆に、ジッパー部１６の平均幅が上記上限を超える場合、ジッパー部１６の可撓性が不十分となることで、ユーザーがジッパー部１６を切除（破断予定線１４，１５に沿ってシート材を破断）する際の力の向きに正確性が要求され、当該箱用シートを組み立ててなる箱体の開封が容易でなくなるおそれがある。
【００４３】
上記延出部２１の破断方向の平均長さの下限としては、切り込み１８の全体の平均長さの３０％が好ましく、４０％がより好ましい。一方、上記延出部２１の破断方向の平均長さの上限としては、切り込み１８の全体の平均長さの７０％が好ましく、６０％がより好ましい。上記延出部２１の破断方向の平均長さの典型例としては、切り込み１８の全体の平均長さの略５０％とすることができる。上記延出部２１の破断方向の平均長さが上記下限に満たない場合、延出部２１が直線部２０の後端を起点として形成される破断線Ｂとの接続が不確実となり、ジッパー部１６が途中でちぎれ易くなるおそれがある。逆に、上記延出部２１の破断方向の平均長さが上記上限を超える場合、当該箱用シートの強度を不必要に低下させるおそれがある。
【００４４】
破断予定線１４，１５の一方の切り込み１８の他方側の端部（破断方向後端）と破断予定線１４，１５の他方の切り込み１８の他方側の端部（破断方向後端）とを結ぶ第２の仮想線Ｌ２（図３参照）の破断方向に対する相対角度βの下限としては、６０°が好ましく、７０°がより好ましい。一方、上記第２の仮想線Ｌ２の破断方向に対する相対角度βの上限としては、８５°が好ましく、８０°がより好ましい。上記第２の仮想線Ｌ２の破断方向に対する相対角度βが上記下限に満たない場合、切り込み１８の長さがジッパー部１６の幅に対して大きくなり、当該箱用シートの強度が低下し、当該箱用シートを組み立ててなる箱体の開封が容易でなくなるおそれがある。逆に、上記第２の仮想線Ｌ２の破断方向に対する相対角度βが上記上限を超える場合、破断予定線１４，１５の一方の前後に連続する切り込み１８間に破れを生じさせる瞬間に作用する力の向きをジッパー部１６の外側方向に誘導すること、つまりジッパー部１６を引きはがす力がシート材の弾性等の影響によりジッパー部１６の内側に向かうことを十分に抑制することができず、ジッパー部１６が途中でちぎれるおそれがある。
【００４５】
＜利点＞
上述のように、当該箱用シートは、当該箱用シートを組み立ててなる箱体の開封を容易にするジッパー部１６を画定する一対の破断予定線１４，１５が、破断方向に切り込み１８が形成されていない切り込み非形成部１９をそれぞれ有するため、シート材の強度低下が比較的小さい。このため、当該箱用シートを組み立ててなる箱体は、比較的座屈強度が大きい。
【００４６】
また、当該箱用シートは、一対の破断予定線１４，１５の切り込み１８が互い違いに配置されるよう破断方向に位置ずれしていることによって、切り込み１８の破断方向後端を起点とするシート材の破断を生じさせる力の作用方向を対向する破断予定線と反対側（ジッパー部１６の外側）誘導することができる。これにより、当該箱用シートは、ジッパー部１６をちぎれ易くすることなく、破断予定線１４，１５における切り込み非形成部１９の破断方向の長さを大きくして、強度をより向上することができる。
【００４７】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００４８】
当該箱用シートは、上記実施形態で説明したいわゆるＡ式の箱に限られず、どのような形状の箱体を形成するものであってもよい。
【００４９】
当該箱用シートにおいて、一対の破断予定線は、蓋部や底部等、箱体のどの部分に形成されてもよい。
【００５０】
当該箱用シートにおいて、一対の破断予定線は、箱体の全周に亘って形成される必要はなく、周方向の一部分だけに形成されてもよい。
【００５１】
また、当該箱用シートにおいて、破断予定線は、破断開始部から一方向のみに破断可能であってもよい。
【００５２】
当該箱用シートにおいて、一対の破断予定線の位置ずれ量は、切り込みのピッチの１／２とは異なっていてもよい。つまり一方の破断予定線に対する他方の破断予定線に位置ずれ量と、他方の破断予定線に対する一方の破断予定線に位置ずれ量とが異なってもよい。例としては、一方の破断予定線に対して他方の破断予定線を１／３ピッチ下流側にずらして配置してもよい。この場合、他方の破断予定線を基準とすると一方の破断予定線が２／３ピッチ下流側にずらされていることになる。
【００５３】
当該箱用シートは、内面側の一対の破断予定線の間にカットテープが貼着されていてもよい。
【産業上の利用可能性】
【００５４】
本発明は、多様な製品を収容する包装箱に広く利用可能である。
【符号の説明】
【００５５】
１，２，３，４  側壁パネル
５  継しろ
６，７  蓋外フラップ
８，９  蓋内フラップ
１０，１１  底外フラップ
１２，１３  底内フラップ
１４，１５  破断予定線
１６  ジッパー部
１７  破断開始部
１８  切り込み
１９  切り込み非形成部
２０  直線部
２１  延出部
Ｂ  破断線
Ｌ１，Ｌ２  仮想線
Ｐ１，Ｐ２  端部
α，β  仮想線の破断方向に対する相対角度
【要約】
【課題】本発明は、比較的容易かつ確実に開封することができ、かつ強度の比較的大きい箱用シートを提供することを課題とする。
【解決手段】本発明に係る箱用シートは、略平行な一対の破断予定線が形成され、各破断予定線が破断方向に配列される複数の切り込みを有し、上記各切り込みが、破断予定線上の直線部とこの直線部の一方側の端部から一方側かつ対向する破断予定線側に延出する延出部とを有する箱用シートであって、上記各破断予定線が、破断方向に切り込みが形成されない切り込み非形成部を有し、上記切り込みの延出部の延出方向の端部とこの端部に隣接する同列の切り込みの直線部の他方側の端部とを結ぶ仮想線の上記破断方向に対する相対角度が６０°以下であり、一方の破断予定線の切り込みと他方の破断予定線の切り込みとが破断方向に位置ずれしていることを特徴とする箱用シートである。
【選択図】図３【図１】
0005948463.tif 000002
【図２】
0005948463.tif 000003
【図３】
0005948463.tif 000004